(57)【要約】   【課題】  大掛かりなアプリケーションの開発を行なうことなく、プログラム登録を遠隔から設定可能なプログラム登録装置を提供する。  【解決手段】  予め設定された所定の動作モードの組合せをプログラムとして複数記憶可能なプログラム記憶手段４１と、前記プログラム記憶手段４１に記憶された個々のプログラムの何れかが割り付けられた複数の選択キー５７を有するプログラム選択手段６０とを備えた操作部４と、外部機器８とネットワーク接続するネットワークインターフェース部８Ａを備えてなる画像形成装置２０に対して、外部機器８に設けられ、ネットワークインターフェース部８Ａを介して画像データを出力するプリンタドライバ４２に、プログラムを生成するプログラム生成手段４３と、生成されたプログラムを前記ネットワークインターフェース部８Ａを介してプログラム記憶手段４１に記憶させるプログラム登録手段を備える。  【選択図】  図１
2007072946.tif 000002
【特許請求の範囲】
【請求項１】
予め設定された所定の動作モードの組合せをプログラムとして複数記憶可能なプログラム記憶手段と、前記プログラム記憶手段に記憶された個々のプログラムの何れかが割り付けられた複数の選択キーを有するプログラム選択手段とを備えた操作部と、外部機器とネットワーク接続するネットワークインターフェース部を備えてなる画像形成装置に対して、前記外部機器に設けられ、前記ネットワークインターフェース部を介して画像データを出力するプリンタドライバに、前記プログラムを生成するプログラム生成手段と、生成されたプログラムを前記ネットワークインターフェース部を介して前記プログラム記憶手段に記憶させるプログラム登録手段を備えてあるプログラム登録装置。
【請求項２】
前記プログラム登録手段は、生成されたプログラムを前記選択キーの何れかに割り付ける選択キー指定手段を備えている請求項１記載のプログラム登録装置。
【請求項３】
前記選択キー指定手段は、前記選択キーの全てが割付済みであるときに、生成されたプログラムを最先に割り付けられた選択キーに割り付けるように構成されている請求項２記載のプログラム登録装置。
【請求項４】
生成されたプログラムが割り付けられる選択キーを識別可能に表示させる識別情報を生成する識別情報生成手段を備え、前記プログラム登録手段は、生成されたプログラムとともに前記識別情報を前記プログラム記憶手段に記憶させる請求項１から３の何れかに記載のプログラム登録装置。
【発明の詳細な説明】
【技術分野】
【０００１】
本発明は、予め設定された所定の動作モードの組合せをプログラムとして複数記憶可能なプログラム記憶手段と、前記プログラム記憶手段に記憶された個々のプログラムの何れかが割り付けられた複数の選択キーを有するプログラム選択手段とを備えた操作部と、外部機器とネットワーク接続するネットワークインターフェース部を備えてなる画像形成装置に対するプログラム登録装置に関する。
【背景技術】
【０００２】
複写機能、プリンタ機構、さらにはファクシミリ機能等の複数の画像処理機能を備えた複合機である画像形成装置の操作部には、両面原稿や片面原稿といった原稿形態、片面複写や両面複写といった複写形態、複写紙のサイズや倍率、さらには画像の濃度等の様々な動作モードをその度に設定しなければならないという煩雑さに鑑みて、頻繁に選択する動作モードの組合せを予めプログラム記憶手段に記憶させ、記憶された個々のプログラムを複数の選択キーに割り付けることにより、所望の動作モードの設定を一操作で実現するプログラム登録機能が実現されている。
【０００３】
一方、ネットワークインターフェース部を備えた画像形成装置では、端末からの機能設定を容易にした多機能複合機を提供するとともに、ユーザによる機能設定処理を自動化した多機能複合機を提供することを目的として、複数機能を組み合わせ設定して使用でき、これらの複数機能の設定を行なうための表示環境を持つ多機能複合機と、前記多機能複合機に接続される１以上の端末と、前記多機能複合機の前記表示環境を前記端末に作り出す表示環境作成手段と、前記端末に作り出された表示環境を用いて前記多機能複合機の機能設定を行なう遠隔操作手段とを備えた多機能複合機が提案されている。
【特許文献１】特開平０８−１８７２３号公報
【発明の開示】
【発明が解決しようとする課題】
【０００４】
しかし、上述のプログラム登録機能が備わった画像形成装置が共用されるオフィスでは、複数のオペレータによって様々なプログラムが設定される可能性が高く、そのためにプログラムが割り付けられる選択キーを数多く備えると、操作部が大型になるばかりか各選択キーに割り付けられた動作モードの夫々を容易に判別できないという問題があった。
【０００５】
さらに、大規模なオフィスでは、プログラムの登録を行なうために画像形成装置の設置位置まで移動しなければならないという煩雑さもあり、プログラムの登録操作の操作性を向上させる必要もあった。
【０００６】
そのために、ネットワーク接続された外部機器を利用して操作性を向上させることが考えられるが、上述した特許文献１に記載された技術によれば、そのための専用アプリケーションを開発しなければならず、却ってコストが嵩むようになるという問題もある。
【０００７】
本発明の目的は、上述の問題に鑑み、大掛かりなアプリケーションの開発を行なうことなく、プログラム登録を遠隔から設定可能なプログラム登録装置を提供する点にある。
【課題を解決するための手段】
【０００８】
上述の目的を達成するため、本発明によるプログラム登録装置の第一の特徴構成は、特許請求の範囲の書類の請求項１に記載した通り、予め設定された所定の動作モードの組合せをプログラムとして複数記憶可能なプログラム記憶手段と、前記プログラム記憶手段に記憶された個々のプログラムの何れかが割り付けられた複数の選択キーを有するプログラム選択手段とを備えた操作部と、外部機器とネットワーク接続するネットワークインターフェース部を備えてなる画像形成装置に対して、前記外部機器に設けられ、前記ネットワークインターフェース部を介して画像データを出力するプリンタドライバに、前記プログラムを生成するプログラム生成手段と、生成されたプログラムを前記ネットワークインターフェース部を介して前記プログラム記憶手段に記憶させるプログラム登録手段を備えてある点にある。
【０００９】
上述の構成とすることにより、大掛かりなアプリケーションの開発を行なうことなく、画像形成装置とネットワーク接続された外部機器から、前記外部機器で生成したプログラムを前記画像形成装置に登録することができるのである。
【００１０】
同第二の特徴構成は、同請求項２に記載した通り、上述の第一特徴構成に加えて、前記プログラム登録手段は、生成されたプログラムを前記選択キーの何れかに割り付ける選択キー指定手段を備えている点にあり、何れかの選択キーにプログラムを割り付けることができるのである。
【００１１】
同第三の特徴構成は、同請求項３に記載した通り、上述の第二の特徴構成に加えて、前記選択キー指定手段は、前記選択キーの全てが割付済みであるときに、生成されたプログラムを最先に割り付けられた選択キーに割り付けるように構成されている点にある。
【００１２】
上述の構成とすることにより、常に最も過去に生成されたプログラムのみを消去することができ、新しく生成されたプログラムを残すことができるのである。
【００１３】
同第四の特徴構成は、同請求項４に記載した通り、上述の第一から第三の何れかの特徴構成に加えて、生成されたプログラムが割り付けられる選択キーを識別可能に表示させる識別情報を生成する識別情報生成手段を備え、前記プログラム登録手段は、生成されたプログラムとともに前記識別情報を前記プログラム記憶手段に記憶させる点にあり、生成されたプログラムが割り付けられる選択キーを識別することができるのである。
【発明の効果】
【００１４】
以上説明した通り、本発明によれば、大掛かりなアプリケーションの開発を行なうことなく、プログラム登録を遠隔から設定可能なプログラム登録装置を提供することができるようになった。
【発明を実施するための最良の形態】
【００１５】
以下、本発明によるプログラム登録装置を画像形成装置と外部機器がネットワーク接続されたネットワークシステムに適用した実施の形態について説明する。
【００１６】
前記ネットワークシステムは、図２に示すように、前記画像形成装置としてのデジタル複写機２０と前記外部機器としての情報処理装置８がＬＡＮ９等のネットワーク伝送手段によって接続された構成となっている。つまり、前記ネットワークシステムは、前記デジタル複写機１に、前記情報処理装置８とネットワーク接続するためのネットワークインターフェース部を備え、また、前記情報処理装置８に、前記ネットワークインターフェース部により解析可能なプリンタ制御言語に基づいて画像データ等の送信データを出力するプリンタドライバを備えることにより、前記情報処理装置８から前記デジタル複写機１を遠隔操作できる構成となっている。
【００１７】
尚、前記プリンタ制御言語には、一般的にプリンタドライバで適用されているＰＤＬ（Page Description Language）を適用することが望ましい。また、複数の情報処理装置８のそれぞれに前記プリンタドライバを備え、前記各情報処理装置８を前記ＬＡＮ９等のネットワーク伝送手段を介して前記デジタル複写機２０と接続したときには、前記各情報処理装置８の何れもが前記デジタル複写機２０を遠隔操作することが可能となる。
【００１８】
前記デジタル複写機２０は、図３に示すように、原稿画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて出力用紙である記録紙１０に画像を形成して出力する画像形成部３と、当該デジタル複写機２０の各種ジョブの動作モード等を設定する操作入力キーや設定されたジョブを起動するプリントスイッチ等が配置され、前記操作入力キーによる設定情報等が表示されるタッチパネル式の液晶表示部を備えた操作部４を備えて構成されている。
【００１９】
前記画像読取部１は、原稿が載置される原稿トレイ１２と、前記原稿トレイ１２に載置された原稿を給紙する原稿給紙部（図示せず）と、前記原稿給紙部により給紙された原稿の画像を読み取るＣＣＤリニアセンサ（図示せず）を備えて構成されている。
【００２０】
前記画像形成部３は、前記出力画像データに基づいて感光体６０にトナー画像を形成するトナー画像形成部６と、前記形成されたトナー画像が転写される記録紙１０を搬送する搬送部７と、前記転写された記録紙１０上のトナー像を内部に挿入設置された加熱ヒータ（不図示）と温度センサ（付図示）により所定温度に加熱された定着ローラ８ａにより加熱溶融して定着する定着部８を備えて構成されている。
【００２１】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を記録紙１０に転写する転写部と、転写後に前記感光体６０に残存するトナーを除去するクリーニング部６４と、前記感光体６０表面の残留電位を落して均一にする除電ランプ６５を備えて構成されている。尚、前記現像部６３には、カラー画像を生成可能とするため、シアン、マゼンダ、イエロー、ブラックの４色の現像ブロックが配置されている。
【００２２】
前記搬送部７は、夫々サイズの異なる記録紙１０が収容された一般給紙カセット１１ａ或いは任意に異なるサイズの記録紙１０が設置される手差しカセット１１ｂから前記記録紙１０を１枚ずつ搬送する給紙搬送部７ａと、前記給紙された記録紙１０を前記転写部に搬送し、トナー像が転写された前記記録紙１０を前記定着部８に向けて搬送する転写搬送部７ｂと、前記定着部８を通過した前記記録紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆを備えて構成され、夫々には搬送用のローラが設けられている。
【００２３】
前記操作部４は、前記画像読取部１の手前側に配置され、図４に示すように、左側に画像表示部としてのタッチパネル式の液晶表示部２６を備え、また右側に種々の操作入力キー群２４を備えている。前記操作入力キー群２４は、例えば、コピー枚数等を設定する数値入力キー２１、プリントスイッチとしてのスタートキー２２、クリア／ストップキー２３、カーソルキー２９、リセットキー１９等の複写動作の基本制御キー群と、特殊モード設定キー群２５等により構成されている。
【００２４】
前記デジタル複写機１の制御部は、図５に示すように、前記画像読取部１による原稿の読取動作を制御する画像読取制御部１Ａと、前記出力画像データ生成部２と、前記画像形成部３を制御する画像形成制御部３Ａと、前記操作部４の入出力信号を制御する操作制御部４Ａと、前記情報処理装置８とネットワーク接続するための前記ネットワークインターフェース部８Ａと、上述の各制御ブロック、つまり、前記画像読取制御部１Ａと前記出力画像データ生成部２と前記画像形成制御部３Ａと前記操作制御部４Ａと前記ネットワークインターフェース部８Ａの動作タイミング等を制御して原稿画像の複写動作等の実行を管理するシステム制御部５を備えて構成されている。尚、前記各制御ブロックと前記システム制御部５には、夫々ＣＰＵ及びＣＰＵによる動作プログラムが格納されたＲＯＭ等が設けられている。
【００２５】
前記画像読取制御部１Ａは、原稿給紙部１０１を駆動して前記原稿トレイ１２に載置された原稿を給紙するとともに、ＣＣＤリニアセンサ１０２により読み取られた原稿画像に対応するアナログ信号からＡ／Ｄ変換手段１０３によりデジタルデータに変換して得られた画像データに対して、所定の変換テーブルが設けられた入力画像処理手段１０４によりシェーディング補正やγ補正が施されるように構成されている。
【００２６】
前記出力画像データ生成部２は、前記入力画像処理手段１０４から出力された画像データに対して空間フィルタ処理、中間調処理、拡縮処理等の画像データ変換処理を行なう画像変換部２１ａと、前記画像変換部２１ａからの出力画像データを前記プリントヘッド６２に対する駆動信号に変換するデータ変換手段２２ａを備えて構成され、前記変換された駆動信号が前記プリントヘッド６２の駆動回路に出力されるように構成されている。
【００２７】
つまり、前記デジタル複写機２０は、前記操作制御部４Ａにより、例えば、図６に示すように、前記タッチパネル式のカラー液晶表示部２６に、前記画像形成部３により画像が記録される前記記録紙１０の用紙サイズやその方向（印刷の向き）、その給紙方法の設定を行う基本設定キー群５５ａ、前記画像の複写倍率や画像の複写濃度、カラー複写または白黒複写を設定するイメージ設定キー群５５ｂ、前記記録紙１０が排出されるときの前記記録紙の振り分け形態を設定する排紙設定キー群５５ｃ等の各動作モードを設定する動作モード設定キー群５５からなるモード設定画面を表示し、前記動作モード設定キー群５５や前記操作入力キー群２４を介して複写枚数、記録紙サイズ、複写倍率等を適切に設定した後に前記プリントスイッチが押圧操作されたときに、前記原稿トレイ１２に載置された原稿の複写動作を開始する。即ち、前記システム制御部５は、前記画像読取制御部１Ａに原稿画像の読取りコマンドを出力して、前記画像処理部２に読取られた原稿画像データに基づいた出力画像の生成コマンドを出力し、前記画像出力制御部３Ａに画像出力コマンドを出力する。前記画像出力制御部３Ａは、前記搬送部７を駆動して前記一般給紙カセット１１ａ或いは前記手差しカセット１１ｂから記録紙１０を搬送させた後に、所定のタイミングで前記画像出力制御部３Ａに画像データ出力コマンドを出力して前記プリントヘッド６２を駆動する。そして、前記プリントヘッド６２により露光された前記感光体６０にトナー画像が形成されると、前記トナー像が前記記録紙１０に転写され、前記定着部８で定着処理された後に前記複写機外に排出される。尚、前記ネットワークインターフェース部８Ａを介して前記情報処理装置８から画像データ等が入力されたときには、前記システム制御部５は、前記入力された画像データに基づいた出力画像の生成コマンドを出力し、前記画像出力制御部３Ａに画像出力コマンドを出力する。
【００２８】
また、前記デジタル複写機２０は、前記操作制御部４Ａに、予め設定された所定の動作モードの組合せをプログラムとして複数記憶可能なプログラム記憶手段４１を備え、前記操作部４における前記タッチパネル式の液晶表示部２６に、前記プログラム記憶手段４１に記憶された個々のプログラムの何れかが割り付けられた複数の選択キーを有するプログラム選択手段が、前記操作制御部４Ａによって表示されるように構成されている。
【００２９】
前記プログラム記憶手段４１は、例えば、前記図６で示した前記モード設定画面で、前記基本設定キー群５５ａにより、前記記録紙サイズがＡ４でその方向（印刷の向き）を縦に、また、給紙方法を自動給紙に、前記イメージ設定キー群５５ｂにより、前記複写倍率を１００％に、また、前記複写濃度が自動設定でカラー複写に、前記排紙設定キー群５５ｃにより、前記振り分け形態がソートしないに、各動作モードが設定されていたときに、その後、前記各動作モードの設定が変更されたときでも、簡易に各動作モードの設定を元に戻すことが可能なように、これら元の動作モードの設定の組合せをプログラムＰｆとして記憶する。
【００３０】
詳述すると、図７に示すように、前記モード設定画面で前記各動作モードが設定されているときに、ユーザにより前記モード設定画面におけるプログラム画面選択キー５６の操作が行われると（ＳＡ１）、前記操作制御部４Ａは、図８に示すような、プログラム選択手段６０からなるプログラム画面を表示する（ＳＡ２）。
【００３１】
尚、前記プログラム選択手段６０は、前記プログラム記憶手段４１に記憶される個々のプログラムの何れかが割り付けられる複数の選択キー５７と、第一の所定条件を確定する登録キー５８と、第二の所定条件を確定する読出キー５９から構成されている。
【００３２】
前記プログラム画面では、前記プログラム記憶手段４１に記憶される個々のプログラムの何れかが割り付けられる複数の選択キー５７から、ユーザにより何れかの選択キー５７が選択され（ＳＡ３）、前記登録キー５８が操作されると（ＳＡ４）、前記動作モードの設定の組合せとしてのプログラムＰｆが前記選択された選択キー５７に割り付けられ、その割付情報とともに前記プログラムＰｆが前記プログラム記憶手段に記憶される（ＳＡ５）。尚、基本タブ６１の操作により（ＳＡ６）、前記モード設定画面に戻ることができる（ＳＡ７）。
【００３３】
また、既に前記プログラムＰｆまたは後述するプログラムＰｔが割り付けられ、当該プログラム記憶手段４１に前記プログラムＰｆ等が記憶されている選択キー５７がユーザにより選択され（ＳＡ８）、前記読出キー５９が操作されると（ＳＡ９）、前記操作制御部４Ａは、ユーザにより選択された前記選択キー５７に割り付けられたプログラムＰｆ等を前記プログラム記憶手段４１から読み出し（ＳＡ１０）、前記読み出したプログラムＰｆ等に基づいて各動作モードが設定された前記モード設定画面を表示する（ＳＡ１１）。
【００３４】
前記情報処理装置８は、例えばパーソナルコンピュータを適用することができ、前記ネットワークインターフェース部８Ａを介して前記デジタル複写機１へ画像データ等の出力等を行うプリンタドライバ４２が備えられている。
【００３５】
前記プリンタドライバ４２は、図１に示すように、少なくとも、前記情報処理装置８において前記動作モードの設定の組合せとしての前記プログラムＰｔを生成するプログラム生成手段４３と、前記プログラム生成手段４３により生成されたプログラムＰｔを前記ネットワークインターフェース部８Ａを介して前記プログラム記憶手段４１に記憶させるプログラム登録手段４４を備えて構成されている。
【００３６】
前記プログラム生成手段４３は、図９に示すように、前記情報処理装置８において前記プリンタドライバ４２の起動中に前記プログラムＰｔの生成コマンドが、当該情報処理装置８における入力手段等（不図示）を介してユーザから入力されると（ＳＢ１）、当該情報処理装置８における表示手段（不図示）に、例えば、図１０（ａ）に示すような基本設定ウィンドウ、図１１に示すようなイメージ設定ウィンドウ、または、図１２に示すような排紙設定ウィンドウ等のプログラム設定ウィンドウの何れか１つを表示する（ＳＢ２）。
【００３７】
前記基本設定ウィンドウは、前記デジタル複写機２０の画像形成部３により画像が記録される前記記録紙１０のサイズやその方向（印刷の向き）、その給紙方法の設定を行うプログラム設定ウィンドウで、図１０（ａ）に示すように、原稿のサイズを設定する原稿サイズ設定部７０と、記録紙の用紙サイズを設定する用紙サイズ設定部７１と、記録紙の向き（印刷の向き）を設定する用紙方向設定部７２と、記録紙の給紙方法を設定する給紙方法設定部７３が表示される。
【００３８】
前記原稿サイズ設定部７０は、選択設定した原稿サイズを表示する原稿サイズ表示枠７０ａと、選択設定可能な原稿サイズを表示させる原稿サイズ表示タブ７０ｂからなり、前記原稿サイズ表示タブ７０ｂを選択すると、図１０（ｂ）に示すように、前記原稿サイズ表示枠７０ａが拡大された拡大原稿サイズ表示枠７０ｃが表示され、前記拡大原稿サイズ表示枠７０ｃに選択設定可能な原稿サイズが表示される。そして、特定の原稿サイズを選択設定すると、前記拡大原稿サイズ表示枠７０ｃは、前記原稿サイズ表示枠７０ａに戻り、前記原稿サイズ表示枠７０ａに前記選択設定された特定の原稿サイズが表示される。
【００３９】
前記用紙サイズ設定部７１は、選択設定した用紙サイズを表示する用紙サイズ表示枠７１ａと、選択設定可能な用紙サイズを表示させる用紙サイズ表示タブ７１ｂからなり、前記用紙サイズ表示タブ７１ｂを選択すると、図１０（ｃ）に示すように、前記用紙サイズ表示枠７１ａが拡大された拡大用紙サイズ表示枠７１ｃが表示され、前記拡大用紙サイズ表示枠７１ｃに選択設定可能な用紙サイズが表示される。そして、特定の用紙サイズを選択設定すると、前記拡大用紙サイズ表示枠７１ｃは、前記用紙サイズ表示枠７１ａに戻り、前記用紙サイズ表示枠７１ａに前記選択設定された特定の用紙サイズが表示される。尚、用紙サイズとして原稿サイズが選択設定されたときには、前記原稿サイズ表示枠７０ａに表示されている原稿サイズが用紙サイズとして選択設定されていることを表している。
【００４０】
前記用紙方向設定部７２は、記録紙の向き（印刷の向き）に対応した方向チェックマーク表示枠７２ａからなり、選択設定した記録紙の向き（印刷の向き）に対応したチェックマーク表示枠７２ａに方向チェックマーク７２ｂが表示される。
【００４１】
前記給紙方法設定部７３は、選択設定した記録紙の給紙方法を表示する給紙方法表示枠７３ａと、選択設定可能な記録紙の給紙方法を表示させる給紙方法表示タブ７３ｂからなり、前記給紙方法表示タブ７３ｂを選択すると、図１０（ｄ）に示すように、前記給紙方法表示枠７３ａが拡大された拡大給紙方法表示枠７３ｃが表示され、前記拡大給紙方法表示枠７３ｃに選択設定可能な記録紙の給紙方法が表示される。そして、特定の給紙方法を選択設定すると、前記拡大給紙方法表示枠７３ｃは、前記給紙方法表示枠７３ａに戻り、前記給紙方法表示枠７３ａに前記選択設定された特定の給紙方法が表示される。
【００４２】
前記イメージ設定ウィンドウは、前記デジタル複写機２０の画像形成部３により形成される画像の複写倍率や複写濃度、カラー複写または白黒複写の設定を行うプログラム設定ウィンドウで、図１１に示すように、画像の複写倍率を設定する複写倍率設定部７４と、画像の複写濃度を設定する複写濃度設定部７５と、カラー複写または白黒複写を設定するカラー設定部７６が表示される。
【００４３】
前記複写倍率設定部７４は、自動的に複写倍率が設定される自動複写倍率モードと手動で複写倍率を設定する手動複写倍率モードのそれぞれに対応した倍率チェックマーク表示枠７４ａと、前記手動倍率モードが選択設定されたときに複写倍率が入力設定可能となる手動複写倍率表示枠７４ｂからなり、選択設定した複写倍率モードに対応した倍率チェックマーク表示枠７４ａに倍率チェックマーク７４ｃが表示される。
【００４４】
前記複写濃度設定部７５は、自動的に複写濃度が設定される自動複写濃度モードと手動で複写濃度を設定する手動複写濃度モードのそれぞれに対応した濃度チェックマーク表示枠７５ａと、前記手動濃度モードが選択されたときに複写濃度が手動変更可能となる手動複写濃度調整タブ７５ｂからなり、選択した複写濃度モードに対応した濃度チェックマーク表示枠７５ａに濃度チェックマーク７５ｃが表示される。
【００４５】
前記カラー設定部７６は、カラー複写と白黒複写のそれぞれに対応したカラーェックマーク表示枠７６ａからなり、前記カラー複写または前記白黒複写のうち選択設定された何れか一方に対応するカラーチェックマーク表示枠７６ａにカラーチェックマーク７６ｂが表示される。
【００４６】
前記排紙設定ウィンドウは、前記デジタル複写機２０において前記記録紙１０が排出されるときの前記記録紙の振り分け形態の設定を行うプログラム設定ウィンドウで、図１２に示すように、排出される記録紙をソートするソートモードと排出される記録紙をソートしないソートレスモードのそれぞれに対応したソートチェックマーク表示枠７７ａからなり、前記ソートモードまたは前記ソートレスモードのうち選択設定された何れか一方に対応するソートチェックマーク表示枠７７ａにソートチェックマーク７７ｂが表示される。
【００４７】
また、前記各プログラム設定ウィンドウには、ユーザにより選択されることにより他のプログラム設定ウィンドウに移行することが可能なタブ７８が表示される。つまり、前記基本設定ウィンドウには、前記イメージ設定ウィンドウに移行するためのイメージタブ７８ｂと前記排紙設定ウィンドウに移行するための排紙タブ７８ｃが、前記イメージ設定ウィンドウには、前記基本設定ウィンドウに移行するための基本タブ７８aと前記排紙設定ウィンドウに移行するための排紙タブ７８ｃが、前記排紙設定ウィンドウには、前記基本設定ウィンドウに移行するための基本タブ７８aと前記イメージ設定ウィンドウに移行するためのイメージタブ７８ｂが表示され、ユーザは、適宜タブを選択することにより、所望の動作モードを設定するためのプログラム設定ウィンドウに容易に移行することができる。
【００４８】
更に、前記各プログラム設定ウィンドウには、前記各プログラム設定ウィンドウで設定された動作モードの組み合わせをプログラムとして確定するコピープログラム登録キー７９が表示されている。
【００４９】
つまり、前記プログラム生成手段４３は、ユーザにより前記各プログラム設定ウィンドウにおいて上述した種々の動作モードが設定され（ＳＢ３）、前記コピープログラム登録キー７９が操作されると（ＳＢ４）、前記各プログラム設定ウィンドウで設定された動作モードの組み合わせをプログラムＰｔとして生成する（ＳＢ５）。
【００５０】
前記プログラム登録手段４４は、前記プログラム生成手段４３により生成されたプログラムＰｔを前記デジタル複写機２０における前記選択キー５７の何れかに割り付ける選択キー指定手段４５を備え、図１３に示すように、前記プログラム生成手段４３により前記プログラムＰｔが生成されると（ＳＣ１）、当該情報処理装置８における表示手段（不図示）に、例えば、図１４に示すようなプログラム登録ウィンドウを表示する（ＳＣ２）。
【００５１】
前記プログラム登録ウィンドウには、前記プログラム生成手段４３により生成されたプログラムＰｔが割り付けられるための複数の選択キー８０と、第三の所定条件を確定する登録キー８１が表示される。
【００５２】
前記各選択キー８０のそれぞれは、前記デジタル複写機２０の前記プログラム画面で表示される複数の選択キー５７の何れかのそれぞれと、１対１の関係で対応している。
【００５３】
前記プログラム登録手段４４は、前記ユーザにより前記各選択キー８０の何れかが選択され（ＳＣ３）、前記登録キー８１が操作されると（ＳＣ４）、前記選択キー指定手段４５により前記選択された選択キー８０に前記プログラムＰｔを割り付けることで、前記プログラムＰｔと前記選択された選択キー８０に対応した前記選択キー５７を割り付け、その割付情報と前記プログラムＰｔからなる前記デジタル複写機２０への送信データＳｄ（Ｐｔ）を前記ＰＤＬに基づいて生成する（ＳＣ５）。
【００５４】
尚、本発明では、当該プリンタドライバ４２により生成される送信データＳｄが、前記プログラムＰｔ等からなる送信データＳｄ（Ｐｔ）であったときに、前記デジタル複写機２０におけるネットワークインターフェース部８Ａがその旨を識別可能なように、前記ＰＤＬに基づいた特定の識別コマンドが予め当該プリンタドライバ４２と前記ネットワークインターフェース部８Ａ間で定められた構成となっている。
【００５５】
前記プログラム登録手段４４は、前記選択キー指定手段４５により送信データＳｄ（Ｐｔ）が生成されると、前記ネットワークインターフェース部８Ａを介して前記デジタル複写機２０へ前記送信データＳｄ（Ｐｔ）を送信することで、前記プログラムＰｔを前記選択された選択キー８０に対応した前記選択キー５７に割り付けて前記プログラム記憶手段４１に記憶させる（ＳＣ６）。
【００５６】
以下、別の実施形態について説明する。上述の実施形態では、前記プログラム生成手段４３により生成されたプログラムＰｔが、前記選択キー指定手段４５によりユーザが選択した特定の選択キー５７に割り付けられる構成について説明したが、前記プリンタドライバ４２で生成されたプログラムＰｔは、前記選択キー指定手段４５により、未だプログラムが割り付けられていない選択キー５７の何れかに順次割り付けられる構成としてもよい。既に割り付けられているプログラムが消去されることを防止することができる。
【００５７】
また、このとき、前記選択キー５７の全てに既にプログラムが割り付けられていたときには、既に割り付けられているプログラムのうち再先に割り付けられたプログラムが割り付けられている選択キー５７に、前記プリンタドライバ４２で生成されたプログラムＰｔを割り付ける構成とすることが望ましい。最も過去に生成されたプログラムのみを消去し、新しく生成されたプログラムを残すことができる。
【００５８】
上述の実施形態に加え、前記プログラム登録手段４４が、前記プログラム生成手段４３により生成されたプログラムＰｔが割り付けられる選択キー５７を識別可能に表示させる識別情報を生成する識別情報生成手段を備え、前記プログラムＰｔとともに前記識別情報を前記プログラム記憶手段４１に記憶させる構成としてもよい。例えば、前記プログラム登録ウィンドウに、前記識別情報生成手段により、前記プログラムＰｔに対する識別情報としてのプログラム名が入力可能なプログラム名入力枠を表示させ、前記プログラム名入力枠にユーザにより入力されたプログラム名とともに、前記プログラム登録手段４４が、前記プログラムＰｔを前記プログラム記憶手段４１に記憶させる構成としてもよい。
【００５９】
尚、上述した実施形態は、本発明の一例に過ぎず、本発明の作用効果を奏する範囲において各ブロックの具体的構成等を適宜変更設計できることは言うまでもない。
【図面の簡単な説明】
【００６０】
【図１】プリンタドライバの機能ブロック構成の説明図
【図２】ネットワークシステムの説明図
【図３】デジタル複写機の説明図
【図４】操作部の説明図
【図５】デジタル複写機の制御部の説明図
【図６】モード設定画面の説明図
【図７】プログラム記憶手段にかかる動作を説明するためのフローチャート
【図８】プログラム画面の説明図
【図９】プログラム生成手段の動作を説明するためのフローチャート
【図１０】基本設定ウィンドウの説明図であり、（ａ）は原稿サイズ、用紙サイズ、用紙方向、給紙方法が設定された状態の説明図、（ｂ）は原稿サイズ設定の説明図、（ｃ）は用紙サイズ設定の説明図、（ｄ）は給紙方法設定の説明図
【図１１】イメージ設定ウィンドウの説明図
【図１２】排紙設定ウィンドウの説明図
【図１３】プログラム登録手段の動作を説明するためのフローチャート
【図１４】プログラム登録ウィンドウの説明図
【符号の説明】
【００６１】
４：操作部
８：情報処理装置、外部機器
２０：デジタル複写機、画像形成装置
４１：プログラム記憶手段
４２：プリンタドライバ
４３：プログラム生成手段
４４：プログラム登録手段
４５：選択キー指定手段
５７：選択キー
６０：プログラム選択手段
８Ａ：ネットワークインターフェース部
【図１】
2007072946.tif 000003
【図３】
2007072946.tif 000004
【図４】
2007072946.tif 000005
【図５】
2007072946.tif 000006
【図７】
2007072946.tif 000007
【図９】
2007072946.tif 000008
【図１０】
2007072946.tif 000009
【図１１】
2007072946.tif 000010
【図１２】
2007072946.tif 000011
【図１３】
2007072946.tif 000012
【図１４】
2007072946.tif 000013
【図２】
2007072946.tif 000014
【図６】
2007072946.tif 000015
【図８】
2007072946.tif 000016